(57)【要約】      （修正有）【課題】長方形をした角筒状のカートンの廃棄時に、薄く折り畳めるばかりでなく長さ方向の辺を複数の部分に折り返して小面積・小容積化する。【解決手段】正面部１、背面部５、左右側面部２、３、底面部６、天面部８を有し、該背面部の上端に前記天面部が連設された長方形角筒状のカートンにおいて、前記左右側面部の中央対称位置に、前記底面部寄りの位置から天面部開口方向に向けて施された内折線ｏ、ｐ、ｒ、ｓと、前記正面部・前記背面部の天面部開口縁から底面方向に向けた一部に形成した正面および背面の逆折部と、背面逆折部に、天面部開口縁から背面逆折部内に向けて破断可能に形成した一定幅の連結片と、天面部先端に差し込み片９を有する。これにより、廃棄時にコンパクトに折り畳んだ状態のまま、これを確実に固定維持することができる。【選択図】図１
2013001453.tif 000002
【特許請求の範囲】
【請求項１】
正面部、背面部、左右側面部、底面部、天面部を有し、該背面部の上端に前記天面部が連設された長方形角筒状のカートンにおいて、前記左右側面部の中央対称位置に、前記底面部寄りの位置から天面部開口方向に向けて施された内折線と、前記正面部・前記背面部の天面部開口縁から底面方向に向けた一部に形成した正面および背面の逆折部と、背面逆折部に、天面部開口縁から背面逆折部内に向けて破断可能に形成した一定幅の連結片と、天面部先端に差し込み片を有する折り畳み可能なカートン。
【請求項２】
背面逆折部の切り込み長さ方向の長さが、〔（２Ｙ＋Ｘ２）／２〕−Ｘ２以上の長さを有するものである請求項１に記載の折り畳み可能なカートン。
【発明の詳細な説明】
【技術分野】
【０００１】
本発明は、菓子その他の食品や化粧品・医薬品など、とくに長方形をした嵩張るカートン容器に関し、使用後の廃棄時において薄く折り畳めるばかりでなく長さ方向の辺を複数の部分に折り返して小面積および小容積化することができるようにすることを目的とする。
【背景技術】
【０００２】
長方形の紙パック類を使用済後に折り畳んで小容積化することに関しては、たとえば互いに平行する２つの側面を、その各々の側面の４隅から側面の幅方向中心に向かって対向的に配設された横V型または横Y型の谷折り用折り目線を含みかつ当該側面を容器内方に折り込むための谷折り用折り目線を施して折り込み用側面に形成するとともに、天面または底面の幅方向両端部近傍に、この幅方向と直交しかつ上記の開口部形成用側面を天面または底面上に折り畳むための谷折り用折り目線を施したティッシュペーパー用容器が知られている（特開２００６−２４０６８８号公報参照）。
【０００３】
また、対向側面に施された折目により牛乳パックなど長方形の容器を平坦に押し潰すとともに、その長さ方向両端部を対向方向に内折して重ね合わせ、さらにその内折した天面・底面の両端部外周面に粘着テープを貼り付け固定して廃棄できるようにした箱やパッケージも知られている（実開昭６１−１３７５１７号公報参照）。
【０００４】
さらに、シート部材の両側縁部を一方の側縁部に設けた糊代を介して接着することにより断面を四角形とし、表面、底面及び二つの側面からなる角筒体と、該角筒体の両端部を延長してなるフラップからなり、該フラップによって、前記角筒体の第１蓋部と第２蓋部を形成してなる包装用容器において、前記底面が前記包装用容器を折り畳むときの前記底面の底面折り畳み位置に谷折り畳み線を有し、前記側面部がY字状谷折り込み線を設けることにより折り畳みが可能とした包装用容器も知られている（特開２００９−１６１２００号公報参照）。
【先行技術文献】
【特許文献】
【０００５】
【特許文献１】特開２００６−２４０６８８号公報
【特許文献２】実開昭６１−１３７５１７号公報
【特許文献３】特開２００９−１６１２００号公報
【発明の概要】
【発明が解決しようとする課題】
【０００６】
しかしながら、上記した特開２００６−２４０６８８号公報（特許文献１）に開示された内容の容器にあっては、廃棄時に一端略平坦に押し潰すことはできるが、押し潰すことができるのは側面部分だけである。そればかりでなく押し潰した後に各々の側面の４隅から側面の幅方向中心に向かって対向的に配設された横V型または横Y型の谷折り用折り目線部分および天面または底面の幅方向両端部近傍に施した谷折り用折り目線部分を中心とした反力により、特に天面および底面の幅方向両端部が起立しやすく、結果的に十分な容積の縮小をはかることができない。
【０００７】
また実開昭６１−１３７５１７号公報（特許文献２）に開示されたパッケージについても、カートンの天面および底面の端部折り曲げ部分にはあらかじめ折線が施されていないため、中央部で内折した場合にカートンの両端部の膨らみにより折り畳み状態がかなり厚手となってしまい、しかも内折した天面・底面の両端部外周面に、該両端面を互いに圧接方向に押さえつけながら別体の粘着テープを用いて貼り付け固定する必要があり、使い勝手が良くない。
【０００８】
さらに特開２００９−１６１２００号公報（特許文献３）に開示された包装容器にあっては、角筒体の第１谷折り線（５１）、第２谷折り線（５２）およびこの第２谷折り線（５２）に対応する位置に設けられた山折り畳み線（６２）および谷折り畳み線（６０）の位置が底面（２８）の長さ方向略中間部に位置するものであることから、包装容器を折り畳んだ際に、少なくとも第１側面（２２）および第２側面（２６）の高さ分に相当する容積については残存することになり、押し潰しによる十分な扁平廃棄ができない。
【課題を解決するための手段】
【０００９】
本発明は上記した従来技術における課題を解決し、とくに長方形をした角筒状の嵩張るカートン容器の使用後の廃棄時において、薄く折り畳めるばかりでなく長さ方向の辺を複数の部分に折り返して小面積および小容積化し、しかも別体の部材を用いることなくコンパクトな折り畳み状態を維持することができるようにしたものである。
【００１０】
すなわち、第１の発明は、正面部、背面部、左右側面部、底面部、天面部を有し、該背面部の上端に天面部が連設された長方形角筒状のカートンにおいて、
左右側面部の中央対称位置に、底面部寄りの位置から天面部開口方向に向けて施された内折線と、正面部・背面部の天面部側の開口縁から底面方向の一部に正面および背面の逆折部を形成し、天面部側の開口縁から背面逆折部内に向けて破断可能に形成した一定幅の連結片と、該連結片に一端が連接され、先端に差し込み片を有する天面部とからなる折り畳み可能なカートンに関する。
【００１１】
本発明は、上記したように長方形角筒状カートンにおける左右側面部の中央対称位置に、底面部寄りの位置から天面部開口方向に向けて内折線を施すのみならず、正面部・背面部の各天面部側の開口縁から底面方向の一部に正面および背面の逆折部を形成するとともに、該背面逆折部に、天面部側の開口縁から逆折部内に向けて一定幅の連結片を破断可能に形成し、しかも天面部の先端、すなわち自由端側に差し込み片を設けたものである。
【００１２】
これにより、廃棄時において長方形角筒状カートンを平坦に押し潰すとともに底面部を巻芯としてカートンの長さ方向に巻折りした後、巻折り端面上に背面および正面逆折部を折り重ね、背面逆折部に形成した連結片を破断して引き伸ばし、該連結片および天面部により前記折り畳んだ部分を包み込んで天面部先端（自由端）側の差し込み片を、正面逆折部と背面逆折部との隙間に差し込んで折り畳み状態を固定維持することができる。
【００１３】
また本発明は、長方形角筒状カートンを押し潰すとともに、底面部を巻芯としてカートンの長さ方向に巻折りし、該巻折り端面上に、正面および背面逆折部を折り重ね、さらに背面逆折部に形成したところの、天面部側の開口縁から逆折部の面内にかけて破断可能に形成した一定幅の切り込みによって形成された連結片の奥部の端辺を支点として天面部つきの連結片を外側に折り返し、前記巻折りした部分を包み込んで天面部先端の差し込み片を正面逆折部と背面逆折部との隙間に差し込み固定するようにしたものであるために、カートンの折り畳み状態が薄く折り畳めるばかりでなく長さ方向の辺を複数の部分に折り返して小面積および小容積化することができ、しかも折り畳み状態を固定して廃棄時の嵩張りを抑えることができる。
【図面の簡単な説明】
【００１４】
【図１】本発明の第１実施例である長方形角筒状カートンブランクの平面図。
【図２】図１のカートンブランクにより形成された長方形角筒状カートンを押し潰した状態の斜視図。
【図３】図２の状態から底面部を巻芯としてカートンの長さ方向に巻折するとともに天面部折線から逆折部の面内にかけて形成した一定幅の切り込みによって形成された連結片の奥部の端辺を支点として天面部と連結片を外側に折り返す過程をあらわした斜視図。
【図４】図３の状態から底面部上に逆折部を折り返して重ね合わせ、連結片および天面部をもって上記巻折りした部分を包み込んで天面部先端の差し込み片を正面逆折部と背面逆折部との隙間に差し込み固定する直前の状態をあらわした斜視図。
【図５】図４の状態から差し込み片を正面逆折部と背面逆折部との隙間に差し込み固定した状態の平面図。
【図６】本発明の第２実施例である長方形角筒状カートンブランクの平面図。
【図７】本発明の具体的な実施例のカートンにおける各部分の長さ寸法をあらわした展開図。
【発明を実施するための形態】
【００１５】
以下において本発明の具体的な内容について第１実施例をもとに説明をする。図１は本発明の第１実施例である長方形角筒状カートンブランクとして展開したものであり、１は正面部、２および３は正面部１の端辺側に折線ｃおよびｆを介して連設された左右の側面部、４は側面部３の片側端辺に折線ｉを介して連設された接着片、５は側面部２の片側端辺に折線ｊを介して連設された背面部をあらわしている。
【００１６】
背面部５は、長さ方向（図１において上下方向）の略中間に位置し、互いに平行な折線ｕ・ｖにより仕切られた中央部５ｄを有するとともにその片側には折線ｕを介して下部５ａが、また反対側には折線vを介して背面逆折部５ｂが形成され、さらに下部５ａには折線ｋを介して底面部６が、また背面逆折部５ｂには折線ｍを介して天面部８が連接され、しかも前記底面部６には折線ｌを介して舌片６ａが、また天板部８には折線ｎを介して差し込み片９が、それぞれ連設されている。
【００１７】
一方正面部１には上記した背面部５の折線ｕと折線ｖとの延長上の位置に折線ａおよび折線ｂが平行に施されており、さらに正面部１の長さ方向端縁１ｅと折線ｂとの間には正面逆折部１ｃが形成されている。
【００１８】
さらに正面部１の端縁１ｆと折線ａの中間部に、別の折線ｗが折線ａに平行に施されている。また、左右の側面部２および３の幅方向中央対称位置には、底面部６寄り（折線ｄ・ｇ寄り）の位置から天面部８の開口方向（折線ｅ・ｈ）に向けて内折線ｏ・ｒが施されている。なおこの内折線ｏ・ｒは舌片２ｂおよび３ｂにかけても折線ｑ・ｔとして延長して設けられている。
【００１９】
上記した内折線ｏ・ｒの底面部６寄り（折線ｄ・ｇ寄り）の部分は折線ｄおよびｇのそれぞれの側面部２および３の短片両端部から側面部２・３の内方に向けて斜め方向に付された折線ｐ・ｐおよびｓ・ｓとそれぞれ交わる交点で接続されている。
【００２０】
さらに側面部２には長さ方向の両端部に、折線ｄおよびｅを介して舌片２ａおよび２ｂが、それぞれ設けられ、また側面部３には長さ方向の両端部に、折線ｇおよびｈを介して舌片３ａおよび３ｂが、それぞれ設けられている。
【００２１】
なおこの場合に底面部６の長さ（折線ｋとｌとの間の距離）と天面部８の長さ（折線ｍとｎとの間の距離）、そして側面部２と３の短辺長さ（折線ｊ・ｃ間、およびｉ・ｆ間の長さ）、そして正面部１の長さ方向端縁１ｆと１ｅとの間の長さと背面部５の長さ方向折線ｍと折線ｋ間の長さは等しくなるように設定する必要がある。
【００２２】
背面部５の全体長さについては、本実施例の場合、底面部６の長さ、つまり折線ｋとｌとの間の距離の略３倍強の長さとし、底面部６の長さ（折線ｋとｌとの間の距離）に略等しいか若干長い距離の位置に折線ｕが、折線ｋと平行に形成され、折線uから底面部６の長さに略等しいか若干長い距離の位置に折線vが折線uと平行に形成され、折線ｍと折線ｖとに挟まれた部分を背面逆折部５ｂとしている。なおこの場合に上記した折線ｍから折線ｕまでの長さについては後述するように２Ｙとし、また天面部８の長さ（折線ｍから折線ｎまでの距離）についてもＸ２とする。
【００２３】
さらに該背面逆折部５ｂには、天面部８を連設する折線ｍの長さ方向両端部から背面逆折部５ｂの内方に向けて傾斜させて形成した切り込み線７ａ・７ａと、該傾斜させた切り込み線７ａ・７ａの先端部から折線ｖ方向に向けて平行に形成された同じ長さの切り込み線７・７によって、一定幅の連結片５ｃが形成されており、これにより天面部８の開口縁すなわち箱状に組み立てられた場合の、天面部８により開閉される開口面、（つまり折線ｍ・ｅおよび端縁１ｅと折線ｈにより形成される平面をいう＝以下同じ）から底面部６方向に向けて背面部５を破断可能になる。
【００２４】
なお上記折線mの長さ方向両端部から背面逆折部５ｂの内方に向けて傾斜させて形成した切り込み線７a・７aと、それらの先端部から折線ｖ方向に向けて形成された切り込み線７・７とによって形成された連結片５ｃは、最終的に天面部先端の差し込み片９が巻折り端の開口部、すなわち背面逆折部５ｂと正面逆折部１cの開口縁の隙間に差し込まれた際に、十分な固定状態を保持できる程度の幅を形成するのが好ましい。
【００２５】
またこの場合の切り込み線７ａ・７ａおよび７・７は断続的な切れ目でも、あるいはハーフカットの何れでも良いが、ハーフカットを施すと、その部分が外面に現れにくく意匠性が高まったり、内容物のバリア性が向上したりするのでハーフカット処理により破断可能に形成するのが望ましい。
【００２６】
一方正面部１には上記した背面部５の折線ｕと折線ｖとに等しい位置に折線ａと折線ｂとがそれぞれ平行に施されていることは既述した通りであり、これによって前記した背面部の中央部５ｄに対応する中央部１ｄが形成されている。さらに正面部１の長さ方向端縁１ｅと中央部１ｄとの間には折線ｂを介して正面逆折部１ｃが形成されている。さらに正面部１の長さ方向端縁１ｆと折線ａの中間部に、別の折線ｗがそれぞれ平行に施されている。
【００２７】
上記した構成によるカートンブランクにより、折線ｃ・ｆを起点に左右の側面部２・３を直角同一方向に曲げるとともに折線ｉをもって接着片４を直角に内折し、さらに折線ｊをもって背面部５を直角内折してその端部を上記した接着片４に接着剤を介して重合接着し、折線ｄおよび折線ｇにより舌片２ａおよび３ａを直角に内折した後、折線ｋにより底面部６を直角内折して先端部の舌片６ａを折線ｌにより直角に内折して、これを正面部１の端縁１ｆとの間の隙間に差し込み挿入することにより正面部・背面部および正面部と背面部の両側端部間を繋ぐ左右側面部、およびそれらの長さ方向一端に有する底面部と他端開口の背面部に、一端を連設させた天面部とからなる長方形角筒状カートンを形成することができる。
【００２８】
この状態において、内部にたとえばお菓子や化粧品、あるいは薬剤等を充填し、折線ｅ・ｈにより舌片２ｂ・３ｂを直角内折した後、折線ｍおよびｎにより天面部８および差し込み片９を直角内折して差し込み片９を正面部１の端縁１ｅから正面部１の内面に沿わせて差し込みして包装を完了する。
【００２９】
なお上記した舌片２ａおよび３ａに対する底面部６の重合部、および底面部６の舌片６ａと正面板１の内側端縁の重ね合わせ部分には、必要に応じて接着剤を介して接着するようにしてもよい。同様に舌片２ｂ・３ｂと天面部８内側面との重合部分にも必要に応じて接着剤を介在して接着するようにしてもよい。
【００３０】
使用済みの長方形角筒状カートンを廃棄する場合には、まず長方形角筒状カートンにおける左右の側面部を長さ方向に互いに内折りして押し潰す。すなわち左右の側面部２・３の中央部をカートンの内方に向けて押圧しながら折線ｏ・ｐ・ｑ、および折線ｒ・ｓ・ｔにより内折して正面部１と背面部５とを略重合状態に押し潰す（図２参照）。
【００３１】
つぎに底面部６を巻芯としてカートンの長さ方向に巻折りする。具体的には図２の左右の側面部を長さ方向に互いに内折りして押し潰した状態においては正面部１の下部折線ｗにより部分面１ａと折線ａ寄りの部分面１ｂ、および底面部６および背面部５の下部５ａとが接近しており、これを巻芯として折線ａを境に矢印Ａ方向に巻折りする。
【００３２】
巻折りした結果は図３にあらわしたように底面部６が背面部５の折線ｕ・ｋ間の下部５ａとともに正面中央部１ｄ上に接近して折り重ねられる。図３の状態から巻折りした部分を背面部５の折線ｕ・ｋ間の下部分５ａを上にして略完全に折り重ねたところで、該巻折り端面（下部５ａ）上に正面逆折部１ｃおよび背面逆折部５ｂを折り重ねる。
【００３３】
すなわちカートンの押し潰しにより略重合状態にある正面部１側の正面逆折部１ｃと背面部５側の背面逆折部５ｂとを、折線ｂおよび折線ｖにより正面逆折部１ｃの面を下にして矢印Ｂで示したように巻折り端面（下部５ａ）上に折り重ねる。
【００３４】
この状態においてさらに背面側逆折部５ｂに形成したところの、天面部８の折線ｍの長さ方向両端縁から背面逆折部５ｂの面内にかけて形成した一定幅の切り込み７a・７a、７・７よって形成された連結片５ｃの奥部の端辺を支点として連結片およびこれに連設された天面部を裏側（矢印Ｃ）方向に折り返し、前記した巻折りした部分の外側を包み込む。
【００３５】
具体的には背面逆折部５ｂに連設された天面部８を掴んでカートン背面側方向に向けて引っ張ると背面逆折部５ｂにハーフカットなどの切り込み線７ａ・７ａおよび７・７により形成された連結片５ｃが切り込み線７ａ・７ａから切り込み線７・７の末端に至るまで引き破られることにより連結片５ｃが裏側に引き出される。
【００３６】
さらに天面部８を掴んだままこれを図３の矢印Ｃであらわしたように、背面中央部５ｄに対面させつつ、上記により正面部１上に巻折りした部分（下部５ａおよび底面部６）を外側から包み込んで下部５ａ上に対面させ、天面部８の先端の差し込み片９を、前記巻折り端の開口部、すなわち図４に矢印Ｄにてあらわしたように、正面逆折部１ｃと背面逆折部５ｂとの隙間に差し込み固定する。なお折り畳み固定された状態の裏面を図５に示す。
【００３７】
さらに図６には本発明の第２実施例のカートンブランクが示されている。これは前記した第１実施例の長方形角筒状カートンの正面部・背面部・左右側面部における中央部１ｄおよび５ｄの各中間部分とこれに対応した側面箇所を省略したもので、折り畳み状態を単に二つ折りとしたものである。
【００３８】
具体的には図６において、１１は正面部、１２および１３は正面部１１の左右両側端辺に折線ｃおよびｆを介して連設された左右の側面部、１４は側面部１３の片側端辺に折線ｉを介して連設された接着片、１５は側面部１２の片側端辺に折線ｊを介して連設された背面部、１６は該背面部１５の長さ方向の端部（下端）に折線ｋを介して連設された底面部、１８は背面部１５の他側長さ方向の端部（上端）に折線ｍを介して連設された天面部をあらわしている。
【００３９】
さらに側面部１２には長さ方向の両端部に、折線ｄおよびｅを介して舌片１２ａおよび１２ｂが、それぞれ設けられ、また側面部１３には長さ方向の両端部に、折線ｇおよびｈを介して舌片１３ａおよび１３ｂが、それぞれ設けられている。さらに、背面部１５には長さ方向の両端部に折線ｋおよび折線ｍを介して底面部１６および天面部１８が、それぞれ連設され、また底面部１６には折線ｌを介して舌片１６ａが、また天面部１８には折線ｎを介して差し込み片１９が、それぞれ連設されている。
【００４０】
なおこの場合に底面部１６の長さ（折線ｋとｌとの間の距離）と天面部１８の長さ（折線ｍとｎとの間の距離）、そして側面部１２と１３の短辺長さ（折線ｊ・ｃ間およびｉ・ｆ間の長さ）、そして正面部１１の長さ方向端縁１１ｄと１１ｅとの間の長さは等しくなるように設定する必要がある。なお背面部１５の全体長さについては、本実施例の場合、底面部１６の長さ、つまり折線ｋとｌとの間の距離の略２倍強の長さとし、折線ｋから底面部１６の長さ（折線ｋとｌとの間の距離）に略等しいか若干長い距離の位置に折線ｖが、折線ｋと平行に形成されている。
【００４１】
また折線ｍから天面部１８の長さ（折線ｍとｎとの間の距離）に略等しいか若干長い距離の位置に折線ｖを折線ｍと平行に施すことにより、この折線ｍと折線ｖとに挟まれた部分を背面逆折部１５Ａとしている。さらに該背面逆折部１５Ａには、天面部１８を連設する折線ｍの長さ方向両端部から背面逆折部１５Ａの内方に向けて傾斜させて形成した切り込み線１７ａ・１７ａと、該傾斜させた切り込み線１７ａ・１７ａの先端部から折線ｖ方向に向けて平行に形成された同じ長さの切り込み線１７・１７によって、一定幅の連結片１５ｃが形成されており、これにより天面部１８の開口縁から底面部１６方向に向けて背面部１５を破断可能になる。
【００４２】
なおこの場合の切り込み線１７ａ・１７ａおよび１７・１７はハーフカット処理により形成するのが望ましい。一方正面部１１には長さ方向中間部、すなわち上記した背面部１５の折線ｖの延長上に位置して折線ａが長さ方向端縁１１eと平行に施されており、正面部１１の長さ方向端縁１１ｅと折線ａとの間の部分が正面逆折部１１Ａとしてある。
【００４３】
さらに正面部１１の長さ方向（図６において上下方向）の端縁１１ｄと折線ａの中間部に、別の折線ｗが、上記した長さ方向端縁１１ｄと平行に施されている。なお、左右の側面部１２および１３の幅方向における中央部の対称位置には、底面部１６寄り（折線ｄ・ｇ寄り）の位置から天面部１８の開口方向（折線ｅ・ｈ）に向けて内折線ｏ・ｒが施されている。なおこの内折線ｏ・ｒは舌片１２ｂおよび１３ｂにかけても折線ｑ・ｔとして延長して設けられている。
【００４４】
この内折線ｏ・ｒの底面部１６寄り（折線ｄ・ｇ寄り）の部分は折線ｄおよびｇのそれぞれの両端部から側面部１２・１３の内方に向けて斜め方向に付された折線ｐ・ｐおよびｓ・ｓとそれぞれ交わる交点で接続されている。なおｑおよびｔは前記した内折線ｏ・ｒの端部が舌片１２ｂ・１３ｂの中央部にも延長して形成された折線をあらわしている。
【００４５】
上記した構成による長方形角筒状カートンの形成、および内容物の充填については前記した第１実施例の場合と同様であるので説明を省略する。使用済の長方形角筒状のカートンを廃棄する場合には、まず長方形角筒状カートンにおける左右の側面部を長さ方向に互いに内折りして押し潰す。すなわち左右の側面部１２・１３の中央部をカートンの内方に向けて押圧しながら折線ｏ・ｐ・ｑ、および折線ｒ・ｓ・ｔにより内折して正面部１１と背面部１５とを略重合状態に押し潰す。
【００４６】
つぎに底面部１６を巻芯として折線ａおよびｖによりカートンの長さ方向、すなわちカートンの開口方向に向けて折り曲げて巻折りする。その結果底面部１６が背面部１５の折線ｖ・ｋ間の下部分１５ａとともに正面部１１上に接近して折り重ねられる。巻折りした部分を背面部１５の折線ｖ・ｋ間の下部分１５ａを上にして略完全に折り重ねたところで、該巻折り端面（下部分１５ａ）上に天面寄りの正面逆折部１１Ａおよび背面逆折部１５Ａとを折り重ねる。
【００４７】
すなわちカートンの押し潰しにより略重合状態にある正面部１１の正面逆折部１１Ａと背面部１５側の背面逆折部１５Ａとを、折線ａおよび折線ｖにより正面逆折部１１Ａの面を下にして巻折りされた底面部１６上に折り重ねる。
【００４８】
この状態において背面逆折部１５Ａに連設された天面部１８を掴んでカートン背面方向に引っ張ると背面逆折部１５Ａにハーフカットなどの切り込み線１７ａ・１７ａおよび１７・１７により形成された連結片１５ｃが切り込み線１７ａ・１７ａから切り込み線１７・１７の末端に至るまで引き破られることにより連結片１５ｃが引き出される。
【００４９】
さらに天面部１８を掴んだままこれを背面部１５および底面部１６と正面部の部分１１ａ・１１ｂにより前記した巻折り方向と逆方向に折り返すとともに、上記巻折りした部分を外側から包み込むようにして巻折り端面（下部分１５ａ）上に接近させ、先端の差し込み片１９を、前記巻折り端の開口部、すなわち背面逆折部１５Ａ、正面逆折部１１Ａ、との開口隙間に差し込みつつ巻折り端面（下部分１５ａ）上に重合させた状態で固定する。
【００５０】
なお、上記した第１および第２実施例の何れの場合においても、連結片５ｃ・１５ｃの切れ込み長さについては巻折りする部分の長さおよび厚みを考慮し、最終的に差し込み片９・１９を背面逆折部５ｂ・１５Ａ、正面逆折部１ｃ・１１Ａ、との開口隙間に差し込み固定することが可能な長さに設定するものとする。
【００５１】
また第１実施例および第２実施例の場合を通じて、正面部１・１１Ａおよび背面部５・１５Ａに形成する折線ａ・ｂ・ｖ・ｕについては押し罫により形成されるが、これらの押し罫がなくても巻折りすることは可能なので必ずしも必要とされるものではない。
【実施例】
【００５２】
本発明の具体的な実施例のカートンにおける各部分の寸法関係について図７にあらわした展開図をもとに説明をする。図７において、まず各部の高さについて、背面部５は背面逆折部５ｂ（折線ｍと折線ｖ間）が６４ｍｍ、中央部５ｄ（折線ｖと折線ｕ間）が同じく６４ｍｍであり、上記逆折部５ｂと中央部５ｄとの合計距離（６４ｍｍ＋６４ｍｍ＝１２８ｍｍ）をもって距離２Ｙとして設定してある。
【００５３】
また底面部６（折線ｋと折線ｌとの間）と天面部（折線ｍとｎとの間）の長さはそれぞれ６０ｍｍであり、背面部５の下部５ａは折線ｕと折線ｋ間が６０ｍｍで底面部６の長さ（折線ｋと折線ｌとの間）、および天面部８の長さ（折線ｍと折線ｎとの間）と同じにしてある。なお天面部８の自由端に折線ｎを介して連設した差し込み片９の長さは２５ｍｍ、また底面部６の自由端に折線ｌを介して連設した舌片６ａは１０ｍｍに、それぞれ設定してある。
【００５４】
さらに正面部１の高さについても、背面部５に習って正面逆折部１ｃ（短辺１ｅと折線ｂとの間）および正面中央部１ｄ（折線ｂと折線ａとの間）、そして部分１ｂおよび１ａを構成するための折線ａと端縁１ｆとの間の長さについても、それぞれの長さが背面部の背面逆折部５ｂ・中央部５ｄ・下部５ａに対応する長さ、すなわち６４ｍｍ・６４ｍｍ・６０ｍｍに設定されている。
【００５５】
すなわち側面部２および側面部３の上下方向長さについては、前記した背面部５における長さ２Ｙに下部５ａの長さを加えた長さに等しいことになる。なお側面部２および３のそれぞれの自由端側に突出させた各舌片２ａ・２ｂおよび３ａ・３ｂの突出長さはそれぞれ２５ｍｍとしてある。
【００５６】
つぎに図７における各部の幅側の寸法について説明をすると、背面部５、正面部１、左右の側面部２および３のそれぞれの幅寸法（Ｘ１および折線ｊ・ｃ間、折線ｃ・ｆ間、折線ｆ・ｉ間の長さ）についてはすべて６０ｍｍに設定されており、側面部３に連接された接着片４の幅は１０ｍｍとしてある。なお側面部２の幅については前記した天面部８の長さ（折線ｍ・ｎ間の距離）と等しくＸ２とした。
【００５７】
さらに背面部５の背面逆折部５ｂに形成した連結片５ｃについては、連結片５ｃを形成する縦方向の切り込み線７・７間の距離が２０ｍｍ、そして該連結片５ｃの幅端（切り込み線７・７）と背面逆折部５ｂの左右側両幅端までの距離がそれぞれ２０ｍｍに設定されている。また切り込み線７・７の上方部は１０５度の角度をもって天面部８側の開口縁両端（折線ｍの長さ方向両端部）に向けた切り込み線７ａ・７ａにより接続されている。
【００５８】
さらに折線ｍを起点とした切り込み線７・７の中央部５ｄ方向に向けた背面逆折部５ｂ内に形成される連結片５ｃの縦方向長さについては図７に示したように４０ｍｍとしてある。これにより巻折りする部分の長さおよび厚みを考慮し、最終的に差し込み片９・１９を背面逆折部１５Ａ、正面逆折部１１Ａ、との開口隙間に差し込み固定することが可能な長さとして、〔（２Ｙ＋Ｘ２）／２〕−Ｘ２以上に設定することができる。
【００５９】
これを、理論的に表せば、前記した各部の寸法を前提として、〔１２８ｍｍ（２Ｙ）＋６０ｍｍ（Ｘ２）〕÷２−６０ｍｍ（Ｘ２）＝３４ｍｍ以上の切り込み長さがあれば足りることになる。なお、本実施例（図７）の場合では切り込み長さを４０ｍｍと設定しているので上記の条件を満たしている。
【００６０】
また、この公式は既述した第１実施例（下部５ａ部分を有する）の場合、あるいは第２実施例（第１実施例のような下部５ａ部分を有しない）の場合のいずれにおいても充足する必要があり、巻折りした場合に、天面部８・１８と、背面逆折部５ｂ・１５Ａと、前記背面逆折部に連設された中央部５ｄや下部分１５ａなどの各ブロックが残ることになり、これらのブロックにより形成される3つのブロックにわたる長さの少なくとも半分を超える長さがあれば足りることになる。
【符号の説明】
【００６１】
１        正面部
１ａ      部分面
１ｂ      部分面
１ｃ      正面逆折部
１ｄ      中央部
１ｅ      端縁
１ｆ      端縁
２        側面部
２ａ      舌片
２ｂ      舌片
３        側面部
３ａ      舌片
３ｂ      舌片
４        接着片
５        背面部
５ａ      下部
５ｂ      背面逆折部
５ｃ      連結片
５ｄ      中央部
６        底面部
６ａ      舌片
７        切り込み線
７ａ      切り込み線
８        天面部
９        差し込み片
１１      正面部
１１Ａ    正面逆折部
１１ａ    部分
１１ｂ    部分
１１ｄ    端縁
１１ｅ    端縁
１２      側面部
１２ａ    舌片
１２ｂ    舌片
１３      側面部
１３ａ    舌片
１３ｂ    舌片
１４      接着片
１５      背面部
１５Ａ    背面逆折部
１５ａ    下部分
１５ｃ    連結片
１６      底面部
１６ａ    舌片
１７      切り込み線
１７ａ    切り込み線
１８      天面部
１９      差し込み片
ａ〜ｎ    折線
ｏ〜ｑ    内折線
ｒ〜ｔ    内折線
ｕ〜ｗ    折線
【図１】
2013001453.tif 000003
【図２】
2013001453.tif 000004
【図３】
2013001453.tif 000005
【図４】
2013001453.tif 000006
【図５】
2013001453.tif 000007
【図６】
2013001453.tif 000008
【図７】
2013001453.tif 000009